(57)【要約】      （修正有）【課題】部品数を削減して製造工程を少なくすることが可能となる鍬鋤兼用農具を提供する。【解決手段】外形を型取りした一枚の金属板を折り曲げて背合わせに形成した鍬部２０及び鋤部３０の背合わせ部４０に長柄１０の先端部１０ａを取着した鍬鋤兼用農具であって、前記鍬部２０が、背合わせ部４０の一方側の下部に突出した掬い面２１と、掬い面２１の両側部に掬い面２１から立ち上がり且つ後部が背合わせ部４０の側部に固着された側部囲い面２２とを備える。鋤部３０が、背合わせ部４０の他方側の下部に突出すると共に先端部から後部へ末広がりに谷折りされた掬い面３１と、掬い面３１の両側部に該掬い面３１から立ち上がり且つ後部が背合わせ部４０の側部に固着された側部囲い面３２とを有する。【選択図】図１
0003192404.tif 000002
【実用新案登録請求の範囲】
【請求項１】
外形を型取りした一枚の金属板を折り曲げて背合わせに形成した鍬部及び鋤部の背合わせ部に長柄の先端部を取着した鍬鋤兼用農具であって、
前記鍬部が、前記背合わせ部の一方側の下部に突出した掬い面と、該掬い面の両側部に該掬い面から立ち上がり且つ後部が前記背合わせ部の側部に固着された側部囲い面とを備え、
前記鋤部が、前記背合わせ部の他方側の下部に突出すると共に先端部から後部へ末広がりに谷折りされた掬い面と、該掬い面の両側部に該掬い面から立ち上がり且つ後部が前記背合わせ部の側部に固着された側部囲い面とを備え、
て成ることを特徴とする鍬鋤兼用農具。
【請求項２】
鍬部と鋤部の側部囲い面を背合わせ部側は幅広く、先端部側は幅狭く前後に傾斜させて形成したことを特徴とする請求項１に記載の鍬鋤兼用農具。
【請求項３】
鋤部の側部囲い面を背合わせ部側から両側部の途中まで形成したことを特徴とする請求項１又は２に記載の鍬鋤兼用農具。
【請求項４】
背合わせ部と側部囲い面との接触部に固着代を設けたことを特徴とする請求項１から３のうちいずれかに記載の鍬鋤兼用農具。
【請求項５】
鍬部と鋤部の各掬い面が長柄に対して鋭角になるよう側部囲い面と背合わせ部とを固着したことを特徴とする請求項１から４のうちいずれかに記載の鍬鋤兼用農具。
【考案の詳細な説明】
【技術分野】
【０００１】
本考案は主として種蒔きの際に使用する鍬と鋤とを兼用した農具に関する。
【背景技術】
【０００２】
長柄に鋤、鍬等の農工具体を着脱交換可能とした下記特許文献１の如き「交換式農工具」が提案されているが、該農工具は分離された農工具体を紛失してしまう虞があり、又、農作業の種類が変わる毎に農工具体を交換するのは大変面倒である。
本考案者が先に提案した下記特許文献２の鍬鋤兼用農具では、鍬と鋤が固定されているので管理が容易となり、又面倒な農具部品の着脱交換作業を行うことなく同時的に二種類の農作業を行うことが可能となった。
【先行技術文献】
【特許文献】
【０００３】
【特許文献１】登録実用新案第３１０３５５５号公報
【特許文献２】登録実用新案第３１７１８５３号公報
【考案の概要】
【考案が解決しようとする課題】
【０００４】
しかしながら、前記特許文献２の鍬鋤兼用農具は、製造する場合、鍬部、鋤部、鍬支持棒及び鋤支持棒等の使用する部品数が多く、その分製造工程も多くなってしまうため製品の大幅なコストダウンを行うことが困難であった。
そこで本考案は、使用する構成部品数を削減して製造工程を少なくすることが可能となる鍬鋤兼用農具を提供することを目的とする。
【課題を解決するための手段】
【０００５】
上記目的を実現するため本考案の鍬鋤兼用農具は、請求項１記載の考案にあっては、外形を型取りした一枚の金属板を折り曲げて背合わせに形成した鍬部及び鋤部の背合わせ部に長柄の先端部を取着した鍬鋤兼用農具であって、前記鍬部が、前記背合わせ部の一方側の下部に突出した掬い面と、該掬い面の両側部に該掬い面から立ち上がり且つ後部が前記背合わせ部の側部に固着された側部囲い面とを備え、前記鋤部が、前記背合わせ部の他方側の下部に突出すると共に先端部から後部へ末広がりに谷折りされた掬い面と、該掬い面の両側部に該掬い面から立ち上がり且つ後部が前記背合わせ部の側部に固着された側部囲い面とを備えて成ることを特徴とする。
【０００６】
請求項２に記載の考案にあっては、上記考案において、前記鍬部と鋤部の側部囲い面を、前記背合わせ部側は幅広く、先端部側は幅狭く前後に傾斜させて形成したことを特徴とする。
【０００７】
請求項３に記載の考案にあっては、上記各考案において、前記鋤部の側部囲い面を前記背合わせ部側から両側部の途中まで形成したことを特徴とする。
【０００８】
請求項４に記載の考案にあっては、上記各考案において、前記背合わせ部と側部囲い面との接触部に固着代を設けたことを特徴とする。
【０００９】
請求項５に記載の考案にあっては、上記各考案において、前記鍬部と鋤部の掬い面が長柄に対して鋭角に前記側部囲い面と前記背合わせ部とを固着したことを特徴とする。
【考案の効果】
【００１０】
本考案の鍬鋤兼用農具は、長柄の先端に背合わせ状態に鍬部と鋤部が一体的に備わるので、１つの農具で、例えば、種蒔き作業においては、鋤部で畝の上面に溝を形成して、その溝内に種を撒き、次に鍬部の掬い面に土を載せ、その土を種の上に掛けて被せる一連の種蒔き作業を１つの農具で行うことが可能となる。
そして、前記鍬部と鋤部は一枚の金属板を折り曲げて、側部囲い面と背合わせ部とを固着して一体化したことで、鍬部及び鋤部全体を強固に形成することが可能となる。そして、前記掬い面等の各面が相互に強化されることで前記鍬部及び鋤部の金属板は薄い板が使用可能となり、全体重量の主要部分である金属部分の軽量化が可能となる。
特に、前記鍬部と鋤部とは一枚の金属板を折り曲げて形成するので、鍬部と鋤部の部品数を大幅に削減でき、このため製造工程が少なくなり、製品の大幅なコストダウンが可能となる。
【００１１】
請求項２に記載の考案は、前記鍬部と鋤部の側部囲い面の背合わせ部側を高くすることで掬い面が背部及び側部から強固に支持され、農作業で強い力を受ける側部囲い面と背合わせ部との接続部分の周囲が強化される。この結果、一体化された鍬部及び鋤部全体の破損が防止され長持ちできるようになる。
【００１２】
請求項３に記載の考案は、前記鋤部の側部囲い面を鋤部の背合わせ部側から両側部の途中まで形成したことで、掬い面の強化と同時に先端部側の側部囲い面による抵抗が解消され、鋤部の掬い面で刺すように耕すという鋤としての機能が高められる。
【００１３】
請求項４に記載の考案は、前記背合わせ部と側部囲い面との接触部に設けた固着代で、使用中負荷のかかる側部囲い面と鍬部及び鋤部の背部との結合部分がより強固に結合され、前記鍬部と鋤部の破損や変形が防止される。
【００１４】
請求項５に記載の考案は、前記鍬部と鋤部の掬い面が長柄に対して内側が鋭角になるよう側部囲い面と背合わせ部とを固着したことで、長柄を持って振り下ろしたとき軽い力で土地面に対して掬い面が真っ直ぐに深く突き刺さるようになる。そしてこの状態から長柄を引くことで土をより多く掬い面に入れ、効率良く農作業を行うことが可能となる。
【図面の簡単な説明】
【００１５】
【図１】本考案の斜視図である。
【図２】鍬部と鋤部を形成する一枚の金属板の展開図である。
【図３】縦断側面図である。
【考案を実施するための形態】
【００１６】
本考案を実施するための形態を以下説明する。
本考案は、図１に示すように、長柄１０の先端部に鍬部２０と鋤部３０とが背合わせに一体的に固設された鍬鋤兼用農具である。
前記長柄１０はその先端部１０ａを鍬部２０及び鋤部３０に背合わせ部４０に直接固着するか、又は、図１に示すように、先端部１０ａに固定金具１１を介して鍬部２０及び鋤部３０の背合わせ部４０に固着する。
【００１７】
前記鍬部２０及び鋤部３０は、図２の展開図し示す如く外形を型取りした一枚のステンレス製等の金属板を折り曲げて一体的に形成する。
このため、一枚のステンレス板は、図１に示すように、前記鍬部２０と鋤部３０の各掬い面２１、３１の後端部に立ち上げられる背合わせ部４０を該鍬部２０と鋤部３０とが共有し、該背合わせ部４０の両側に逆向きに形成される各掬い面２１、３１の両側部にはそれぞれ側部囲い面２２、３２が立ち上げられる。そして、該側部囲い面２２、３２の後部は前記背合わせ部４０の側部に固着可能となるように外形の全体が型取られる。
【００１８】
次に、上記の如く外形を型取りした図２に示す一枚のステンレス板について詳述する。
該図２は前記鋤部３０と鍬部２０の周囲を切り抜いて展開した状態に加工図が描かれた一枚のステンレス板を示す。
該ステンレス板は中間の山折り線ｘの両側に一方には鍬部２０が、他方には鋤部３０が背合わせとなるように描かれる。
そして、前記山折り線ｘから平行で同距離に谷折り線ｘａ、ｘｂが前記山折り線ｘの両側に描かれる。
該山折り線ｘと前記谷折り線ｘａ、ｘｂとの間の鍬部２０の背合わせ面２３と鋤部の背合わせ面３３とで、図１に示すように、前記鋤部３０と鍬部２０の後部に前記長柄１０と平行なｙ方向に立ち上がる背合わせ部４０が形成される。
そして、前記谷折り線ｘａ、ｘｂの先には先端部側を反対向きとした鍬部２０と鋤部３０の掬い面２１、３１が描かれる。
該掬い面２１、３１は前記谷折り線ｘａ、ｘｂに中央部で直交する中央線ｚａ、ｚｂに対しての左右対称とし、前記鋤部３０の掬い面３１は前記鍬部２０の掬い面２１よりも長さは短く、且つ面積は小さく形成する。
【００１９】
又、前記鍬部２０の掬い面２１は後部の前記谷折り線ｘａを上辺とし、先端部を前記谷折り線ｘａと平行な線を下辺とする左右対称な台形とする。
そして、該台形の斜辺部分に谷折り線ｖを描き、該谷折り線ｖを底辺とし、前記背合わせ部４０側は高く、先端部側は低い斜辺となる変形した台形状の側部囲い面２２を左右対称に描く。
その際、背合わせ部４０側の斜辺は前記掬い面２１の底辺に対して内角が８５度の鋭角となるように描く。
又、前記側部囲い面２２の背合わせ部４０側の斜辺には、該斜辺を底辺とする台形状の固着代２４を描く。
【００２０】
又、前記鋤部３０の掬い面３１は後部の前記谷折り線ｘｂを下辺とし、中央先端部が鋭角で先細りの左右対称な将棋の駒状とする。
該駒状の左右の斜辺に谷折り線ｗを描き、該谷折り線ｗを底辺とし、背合わせ部４０側は高く、先端部側は前記斜辺の途中に突き当たる三角形の側部囲い面３２を描く。
その際、三角形の側部囲い面３２の背合わせ部４０側の斜辺は前記掬い面３１の斜辺に対して内角が８５度の鋭角となるように描く。
そして、前記側部囲い面３２の背合わせ部４０側の斜辺には、該斜辺を底辺とする台形状の固着代３４を描く。
更に、前記掬い面３１の前記谷折り線ｘｂとの左右の交点部分から前記先端部３７まで左右対称とした谷折り線ｕを描く。
【００２１】
なお、前記鍬部２０の掬い面２１には大２６ａ小２６ｂ多数の篩い孔２６を散在状態に描き、鋤部３０の掬い面３１には、両側部の中間を通る中央線ｚｂと平行な方向に長い細長孔３６を左右対称に複数描く。図２では前記細長孔３６が２列４個設けた例を示している。
以上で図２に示す鍬部２０及び鋤部３０の全体の展開図が完成する。
【００２２】
次に、上記展開図通りに周囲を切り抜いた一枚のステンレス板を折り曲げて作る鍬部２０及び鋤部３０の説明をする。
展開図の描かれた前記ステンレス板の中間部の谷折り線ｘで、図３の示すように、両面が重なり合うように山折りする。
そして、該山折り線ｘから平行で同距離に谷折り線ｘａ、ｘｂで両側を逆向きに８５度の鋭角にそれじれ谷折りする。この際、谷折りした両側の平面（鍬部の背合わせ面２３と鋤部の背合わせ面２３）を重なり合わせて前記背合わせ部４０を形成する。
そして、前記谷折り線ｘａで折られた一方側に、前記鍬部２０の側部を立ち上げるように谷折り線ｖで折って、背合わせ部４０側は高く、先端部側は低くしてその間は直線的に傾斜状態とした変形した台形の側部囲い面２２を形成すると、前記谷折り線ｘａと前記側部囲い面２２とで囲われた末広がりの掬い面２１が形成される。
【００２３】
又、前記谷折り線ｘｂで折られた他方側に、前記鋤部３０の側部を谷折り線ｗで両側を立ち上げるように折って、背合わせ部４０の側部に沿った一辺を有する三角形の側部囲い面３２を形成すると、前記谷折り線ｘｂと前記側部囲い面１２とで囲われた末窄まりの将棋の駒状の掬い面３１が形成される。
前記鋤部３０については、土地に刺して耕すという機能を持たせるため、前記掬い面３１の中央先端部３７は尖らせると共に土に突き刺さる際に大きな抵抗を受ける前記側部囲い面３２は三角形の１辺を掬い面３１の側部の途中まで形成する。
そして、該掬い面３１を、その先端部３７と前記背合わせ部４０の両側部を結ぶ谷折り線ｕに沿って大きく開いた鈍角になるよう谷折りして側部屈曲掬い面３１ａを形成する。
該側部屈曲掬い面３１ａを形成することによって、後部側の側部途中までを強化した側部囲い面３２と一体となって前記掬い面３１の全体が強化される。
【００２４】
そして、図１に示すように、前記側部囲い面２２、３２後部の背合わせ部４０側の側部の辺縁を前記背合わせ部４０の側部の辺縁に固着する。
図１では該側部囲い面２２、３２の辺縁が同じ高さ位置で前記背合わせ部４０の両側部に固着された態様を示している。この部分の固着で該側部囲い面２２、３２により前記掬い面３１、３２が強く支持され、この結果、前記鍬部２０及び鋤部３０の全体が強化される。
【００２５】
前記側部囲い面２２、３２の後部辺縁と背合わせ部４０の側部辺縁とを固着するには、溶接による方法が可能であるが、例えば図２に示すように、前記各側部囲い面２２、３２の後部に設けた固着代２４、３４を内側に９０度屈曲させ、図１及び図３に示すように、該固着代２４、３４を前記背合わせ部４０の鍬部２０の背合わせ面２３と鋤部３０の背合わせ面３３との間に挟み着けて固定鋲５０で強固に固着することができる。
【００２６】
そして、前記背合わせ部４０は長柄１０の先端部１０ａに固着させるが、その際、前記背合わせ部４０に長柄１０の先端部１０ａを直接固定する態様と、前記固定金具１１を介して固定する態様とが可能である。
後者の場合、図１及び図３に示すように、基端側のパイプ部１１ｂと先端側の押し潰した平坦部１１ａと備えた固定金具１１を用い、前記パイプ部１１ｂを長柄１０の先端部１０ａに嵌込んでネジ、ボルト又は鋲等で固着し、平坦部１１ａを前記鍬部２０及び鋤部３０の背合わせ部４０に密着させてネジ、ボルト又は固定鋲５１等で固着する。
該図１では、前記平坦部１１ａを前記鍬部２０側の背合わせ面２３に固着した態様を示したが、平坦部１１ａを前記鋤部３０側の背合わせ面３３に固着しても良い。
【００２７】
なお、前記掬い面２１、３１は前記背合わせ部４０の鍬部２０の背合わせ面２３と鋤部３０の背合わせ面３３に対していずれも８５度の方向に鋭角に谷折りされ、且つ、前記側部囲い面２２、３２の背合わせ部４０側の斜辺は前記掬い面２１、３１の側部に８５度の鋭角に形成されているので、直角に折り曲げられた前記側部囲い面２２、３２の後部辺縁と、前記背合わせ部４０の鍬部２０の背合わせ面２３及び鋤部３０の背合わせ面３３の側部の各辺縁と該側部囲い面２２、３２とが密着して固着される。
従って、前記長柄１０と平行に前記背合わせ部４０の中心に立ち上がる縦中心線ｙに対して、前記鍬部２０の掬い面２１の中央線ｚａ及び鋤部３０の掬い面３１の中央線ｚｂは８５度の鋭角に形成され、即ち、前記鍬部２０の掬い面２１と鋤部３０の掬い面３１が前記長柄１０に対して８５度の鋭角に固定される。
【００２８】
更に、前記鍬部２０の掬い面２１には、図１及び図２に示すように、多数の篩い孔２６を散在状態に貫設する態様が可能である。この態様では鍬部２０を使用する際に、鍬部２０の掬い面２１に土を入れ、その土を篩うことで前記篩い孔２６から種の上に選別した小さい粒子の土を振掛けて種の上に土を軽く被せることが可能となる。
【００２９】
又、前記鋤部３０の掬い面３１には、両側部の中間を通る中央線ｚｂと平行な方向に長い細長孔３６を複数貫設する態様が可能である。この態様では、鋤部３０を使用する際に、前記鋤部３０の掬い面３１に掬われた土は、この細長孔３６から零れるように小さい土の粒子が掘られた溝内に落ちて、その溝内の土に蒔かれた種に軽く降り掛かり、種の発芽及び成長に好ましい環境が作られる。
【００３０】
次に、本考案の実施例を更に具体的に説明する。
本考案は図１に示すように、長柄１０と鍬部２０及び鋤部３０とから成るが、先ず長柄１０を説明する。
前記長柄１０は、平均的な人の身長よりも低い１．４ｍの長さで、手に持ち易い３６ｍｍ径の円形のパイプ又は棒体を使用する。
該長柄１０はステンレス、アルミ、木材又はプラスチック製のパイプや棒体を用いることもできが、本実施例ではステンレス製のパイプを使用した例で説明する。
そして、その先端部１０ａには長さが２０ｃｍ、径が３４ｍｍのステンレス製のパイプを加工した固定金具１１を装着する。
該固定金具１１は基部部をパイプそのままのパイプ部１１ｂとし、先端部分から１０ｃｍまでの部分を先端側が平坦になるまで潰して平坦部１１ａを形成したものを使用する。
【００３１】
そして、基端側のパイプ部１１ｂを前記長柄１０のパイプ先端から内部に深く差し込んで接続し、該長柄１０の先端部１０ａから３ｃｍと７ｃｍの位置に鋲孔を設け、図３に示すように、この鋲孔に固着用固定鋲を打ち込んで長柄１０と固定金具１１とを強固に固着する。
該固定金具１１の平坦部１１ａは、前記鍬部２０及び鋤部３０の背合わせ部４０に固着するが、図１に示す実施例は、鍬部２０側の背合わせ部４０に重ね合わせて、鋲孔２９（図２に示す）に固定鋲５１を打ち、前記長柄１０と該背合わせ部４０とを一体的に固着した態様であり、前記長柄１０の末端部１０ｂには吊り孔１３を設けたものを示す。
【００３２】
次に本実施例の前記鍬部２０及び鋤部３０について説明する。
前記鍬部２０及び鋤部３０は厚さ１.５ｍｍのステンレス製の一枚の板を折り曲げて一体的に形成する。
先ず一方側の前記鍬部２０について説明する。
前記鍬部２０は、鋤部３０との間に形成された背合わせ部４０の横幅を１３ｃｍとし高さを９ｃｍとする。又、前記鍬部２０の掬い面２１は、先端部の間口を１６ｃｍ、掬い面２１の側面の長さを２０ｃｍ、背部の背合わせ部４０側の幅を１３ｃｍとし、図１に示すように、先端部側の間口がやや大きな台形に形成する。
該鍬部２０の掬い面２１には孔径が１．５ｃｍと１ｃｍの２種類の篩い孔２６ａ、２６ｂを多数散在状態に貫設する。
該篩い孔２６を備えた態様では、鍬部２０の掬い面２１に掬った土を振って小さい土の粒子を該篩い孔２６から落下させ、篩い孔２６の上に残った石や土塊は溝の外に捨てることで、種の上に乗って発芽や成長を阻害する原因となる石や土塊が排除される。
そして、該鍬部２０の掬い面２１の側部の縁は折り曲げ加工して、背合わせ部４０側の側部囲い面２１を高さ８ｃｍとし、先端側を２ｃｍに傾斜させ、図３に示すように、先端側を最先端まで斜めに形成する。
【００３３】
又、鍬部２０の両側部囲い面２２、２２の背合わせ部４０の側部の辺縁に、図１に示すように、１０ｍｍ幅の台形の固着代２４を設ける。
該固着代２４は板を内側に９０度屈曲させ、前記背合わせ部４０の側部に重ね合わせて背合わせ部４０を貫通した鋲孔２５、２８、３８、３５を設け、該鋲孔に固定鋲５０を打って固着する。
この際、図１及び図３に示すように、前記長柄１０と鍬部２０の掬い面２１との取り付け角度は内角が８５度となるように側部囲い面２２、２２の背合わせ部４０の側部の辺縁の前記鍬部２０の掬い面２１に対する形成角度を決める。これにより、前記長柄１０の方向に対して前記掬い面２１がやや上向きの鋭角に取り付けられる。この角度によって、例えば、使用していないとき、長柄１０を立てて掬い面２１を水平な地面に置くと倒れずに直立状態とすることが可能となる
前記鍬部２１は使用するときに、土に先端部を刺して掬うように引き上げるので大きな力が加わるが、該側部囲い面２２が鍬部２０の掬い面２１を両側面から支えて掬い面２１の強度を高める。このため、前記鍬部２０の全体が強度的に高められ、一枚板はステンレス製の厚さ１．５ｍｍの薄い板であっても使用が可能となる。
【００３４】
次に前記鍬部と背合わせの前記鋤部３０について説明する。
鍬部２０とで共有される背合わせ部４０の幅は鍬部２と同様に１３ｃｍで高さは９ｃｍとする。
又、鋤部３０の掬い面３１は、図１に示すように、将棋の駒状を成し、前記背合わせ部４０から先端部３７までの長さを１３ｃｍとし、側面の長さを１０ｃｍとし、その先端部３７側の両斜辺は先端部が尖るように斜めに形成する。
前記掬い面３１には、図１に示すように、中央線ｚａの両側に該中央線ｚａと略平行な、長さ４ｃｍで幅１ｃｍの細長孔３６を左右対称に両側にそれぞれ２個並べて設ける。
そして、該鋤部３０の掬い面３１の側部の縁は折り曲げ加工して、背合わせ部４０側の側部囲い面３２を、図３に示すように、高さ８ｃｍとし先端側を前記掬い面３１の途中に突き当たる三角形に形成する。
【００３５】
又、鋤部３０の両側部囲い面３２、３２の背合わせ部４０の側部の辺縁に、図１に示すように、１０ｍｍ幅の台形の固着代３４を設ける。
該固着代３４は板を内側に９０度屈曲させ、前記背合わせ部４０の側部に重ね合わせて背合わせ部４０を貫通した鋲孔３５、３８、２８、２５を設け、該鋲孔に固定鋲５０を打って固着する。
この際、図１及び図３に示すように、前記長柄１０と鋤部３０の掬い面３７との取り付け角度は内角が８５度となるように側部囲い面３２、３２の背合わせ部４０の側部の辺縁の前記鋤部３０の掬い面３１に対する形成角度を決める。これにより、前記長柄１０の方向に対して前記掬い面３１がやや上向きの鋭角に取り付けられる。
前記鋤部３０は使用するときに、土に深く刺して引き寄せるとき大きな力が加わるが、該側部囲い面３２、３２が鋤部３０の掬い面３１を両側面から支えて掬い面３１の強度を高め、前記鋤部３０全体の強度が高められる。
【００３６】
又、前記鋤部３０の掬い面３１の先端側は、その両側部３７を、該両側部の中間を通る中央線ｚｂよりも高くなるように先端部３７から前記背合わせ部４０まで、内側の開き角度１７０度程度の開きとなるよう両側をそれぞれ５度の角度で谷折りする。
この谷折りで掬い面３１の板面が強化され、側部囲い面３２のない先端部３７側部分が強化され、前記掬い面３１の途中からの折れ曲がり変形が防止される。
本考案は上記の如く前記鍬部２０及び鋤部３０は、別々に組み立てるのではなく、薄い一枚のステンレス製から一体的に作られるので使用される部品数の大幅な削減が可能となる。
【００３７】
次に本発明の鍬鋤兼用農具の使用方法を種蒔き作業の場合を例に説明する。
種蒔き作業は種を埋める溝を掘る作業と、溝に種を播く作業と、種に土を掛ける作業とがあるが、本考案の鍬鋤兼用農具では溝を掘る作業では鋤部３０を使用し、種に土を掛ける作業には鍬部２０を使用する。
具体的には、先ず、鋤部３０の先端部３７を畝上面の土に斜めに差し込んで土を手前に引くことで畝に溝を形成する。この際、鋤部３０の尖った先端部３７が深く土に刺さり、そのまま長柄１０を手前に引くと、種まきに適した細く一定幅の長い溝が深く形成される。
【００３８】
前記溝内に種を播いたら、次に同じ前記鍬鋤兼用農具を用いて、鍬部２０側を用いて種の上に土を掛ける作業を行う。
この作業では、鍬部２０の掬い面２１に土を掬い上げ、その土を振るい落とすようにして播いた種の上に種が隠れるように被せる。
以上の如く、種蒔き作業の際に１つの鍬鋤兼用農具で種を埋める溝を掘る作業と種の上に土を掛ける作業とを同時的に効率良く行うことが可能となる。
【産業上の利用可能性】
【００３９】
本考案の鍬と鋤とが兼用できる種蒔き用の鍬鋤兼用農具であるが、畑を耕すなど種蒔き以外の農作業に広く利用することも可能である。
【符号の説明】
【００４０】
１０    長柄
１０ａ  長柄の先端部
１０ｂ  長柄の末端部
１１    固定金具
１１ａ  平坦部
１１ｂ  パイプ部
１３    吊り孔
２０    鍬部
２１    掬い面
２２    側部囲い面
２３    背合わせ面
２４    固着代
２５    鋲孔
２６    篩い孔
２８    鋲孔
２９    鋲孔
３０    鋤部
３１    掬い面
３１ａ  側部屈曲掬い面
３２    側部囲い面
３３    背合わせ面
３４    固着代
３５    鋲孔
３６    細長孔
３７    先端部
３８    鋲孔
３９    鋲孔
４０    背合わせ部
５０    固定鋲
５１    固定鋲
ｘ    山折り線
ｘａ  鍬部側の谷折り線
ｘｂ  鋤部側の谷折り線
ｙ    背合せ部の縦中央線
ｚａ  鍬部の掬い面の中央線
ｚｂ  鋤部の掬い面の中央線
ｖ    谷折り線
ｗ    谷折り線
ｕ    鋤部の掬い面の谷折り線
【図１】
0003192404.tif 000003
【図３】
0003192404.tif 000004
【図２】
0003192404.tif 000005